(57)【要約】  本開示の一実施形態の描画方法は、ロイコ色素および赤外領域の波長を吸収して発熱する光熱変換剤を含む記録層を備えた感熱性記録媒体に対して、入力画像情報に基づいて、それぞれが一の方向に延伸すると共に、互いに間隙を有する複数の第１領域に描画したのち、複数の第１領域の記録状態を検出して入力画像情報との差分を計算し、差分から決定される記録強度で、複数の第１領域のそれぞれの間隙の、それぞれが一の方向に延伸する複数の第２領域に描画する。
2020054279.tif 000002
【特許請求の範囲】
【請求項１】
ロイコ色素および赤外領域の波長を吸収して発熱する光熱変換剤を含む記録層を備えた感熱性記録媒体に対して、
入力画像情報に基づいて、それぞれが一の方向に延伸すると共に、互いに間隙を有する複数の第１領域に描画したのち、
前記複数の第１領域の記録状態を検出して前記入力画像情報との差分を計算し、前記差分から決定される記録強度で、前記複数の第１領域のそれぞれの間隙の、それぞれが前記一の方向に延伸する複数の第２領域に描画する
描画方法。
【請求項２】
光ビームを用いて前記複数の第１領域および前記複数の第２領域に描画する、請求項１に記載の描画方法。
【請求項３】
前記光ビームの出力によって前記記録強度を調整する、請求項２に記載の描画方法。
【請求項４】
前記複数の第２領域に描画したのち、
前記複数の第１領域および前記複数の第２領域の記録状態を検出して前記入力画像情報との差分を計算し、前記差分から決定される記録強度によって、前記複数の第１領域と前記複数の第２領域とのそれぞれの間の、それぞれが前記一の方向に延伸する複数の第３領域に描画する、請求項１に記載の描画方法。
【請求項５】
ロイコ色素および赤外領域の波長を吸収して発熱する光熱変換剤を含む記録層を備え、
前記記録層は、
それぞれが一の方向に延伸すると共に、互いに間隙を有する複数の第１領域と、
それぞれが前記一の方向に延伸すると共に、前記複数の第１領域のそれぞれの間隙に設けられた複数の第２領域とを有し、
前記一の方向と直交する他の方向の直線上における隣り合う前記第１領域と前記第２領域との第１の色差が、前記他の方向の直線上における隣り合う前記複数の第１領域の第２の色差よりも大きい
感熱性記録媒体。
【請求項６】
前記複数の第１領域および前記複数の第２領域の前記他の方向の幅は、それぞれ、１０μｍ以上５００μｍ以下である、請求項５に記載の感熱性記録媒体。
【請求項７】
前記第１の色差は、前記第１領域の前記一の方向の直線上において、前記複数の第１領域の前記他の方向の幅分離れた２点間の第３の色差よりも大きい、請求項５に記載の感熱性記録媒体。
【請求項８】
前記複数の第１領域と前記複数の第２領域とのそれぞれの間に、それぞれが前記一の方向に延伸すると共に、前記一の方向と直交する前記他の方向の直線上において、前記第１の色差および前記第２の色差とは異なる第４の色差を有する第３領域をさらに有する、請求項５に記載の感熱性記録媒体。
【請求項９】
前記記録層は、さらに、顕・減色剤を含み、前記ロイコ色素、前記顕・減色剤および前記光熱変換剤は高分子材料に分散されている、請求項５に記載の感熱性記録媒体。
【請求項１０】
光ビームを出射する光源部と、
前記光源部から出射された前記光ビームをロイコ色素および赤外領域の波長を吸収して発熱する光熱変換剤を含む記録層において、それぞれが一の方向に延伸すると共に、互いに間隙を有する複数の第１領域と、前記複数の第１領域のそれぞれの間隙の、それぞれが前記一の方向に延伸する複数の第２領域とで走査することにより描画するスキャナ部と、
前記記録層の記録状態を検出する検出部と、
前記検出部の結果に基づいて記録強度を決定する補正部とを備え、
前記スキャナ部は、入力画像情報に基づいて、前記複数の第１領域で走査し、
前記検出部は、前記スキャナ部によって描画された前記複数の第１領域の記録状態を検出すると共に、前記複数の第１領域の記録状態を前記複数の第１領域の画像情報として前記補正部に出力し、
前記補正部は、前記検出部から入力された前記複数の第１領域の画像情報と前記入力画像情報との差分を算出し、前記差分に基づいて、前記複数の第２領域に描画する記録強度を決定し、
前記スキャナ部は、前記補正部で決定された記録強度を用いて前記複数の第２領域で走査する
描画装置。
【発明の詳細な説明】
【技術分野】
【０００１】
本開示は、例えばロイコ色素を含む感熱性記録媒体への描画方法およびこれを用いて描画された感熱性記録媒体ならびに描画装置に関する。
【背景技術】
【０００２】
近年、感熱発色性組成物および赤外線波長を吸収する光熱変換剤を含有する記録層を備えた感熱性記録媒体の開発が進められている。一例として、それぞれが、互いに異なる波長の赤外線を吸収する光熱変換剤を含む記録層を複数備え、各光熱変換剤の吸収波長に合致した赤外線レーザ光を照射することで、対応する光熱変換剤がそのレーザ光を吸収し、それを含む記録層が発色する感熱性記録媒体が提案されている。但し、上記のような感熱性記録媒体に記録を行う場合、記録装置の変動や感熱性記録媒体の設計からのずれ等により、想定していた画像から色合いがずれてしまい、表示品位が低下するという課題がある。【０００３】
これに対して、例えば、特許文献１，２では、装置内に測定部を設け、諧調補正用画像を出力し、その画像から画像補正データを取得し、画像補正データを基に感熱性記録媒体に画像を書き込む画像形成装置が開示されている。
【先行技術文献】
【特許文献】
【０００４】
【特許文献１】特開２００９−３０２６６９号公報
【特許文献２】特開２０１４−１５０５１５号公報
【発明の概要】
【０００５】
このように、感熱性記録媒体では、表示品位の向上が望まれている。
【０００６】
表示品位を向上させることが可能な描画方法および感熱性記録媒体ならびに描画装置を提供することが望ましい。
【０００７】
本開示の一実施形態の描画方法は、ロイコ色素および赤外領域の波長を吸収して発熱する光熱変換剤を含む記録層を備えた感熱性記録媒体に対して、入力画像情報に基づいて、それぞれが一の方向に延伸すると共に、互いに間隙を有する複数の第１領域に描画したのち、複数の第１領域の記録状態を検出して入力画像情報との差分を計算し、差分から決定される記録強度で、複数の第１領域のそれぞれの間隙の、それぞれが一の方向に延伸する複数の第２領域に描画するものである。
【０００８】
本開示の一実施形態の感熱性記録媒体は、ロイコ色素および赤外領域の波長を吸収して発熱する光熱変換剤を含む記録層を備えたものであり、記録層は、それぞれが一の方向に延伸すると共に、互いに間隙を有する複数の第１領域と、それぞれが一の方向に延伸すると共に、複数の第１領域のそれぞれの間隙に設けられた複数の第２領域とを有し、一の方向と直交する他の方向の直線上における隣り合う第１領域と第２の領域との第１の色差が、他の方向の直線上における隣り合う複数の第１領域の第２の色差よりも大きい。
【０００９】
本開示の一実施形態の描画装置は、光ビームを出射する光源部と、光源部から出射された光ビームをロイコ色素および赤外領域の波長を吸収して発熱する光熱変換剤を含む記録層において、それぞれが一の方向に延伸すると共に、互いに間隙を有する複数の第１領域と、複数の第１領域のそれぞれの間隙の、それぞれが一の方向に延伸する複数の第２領域とで走査することにより描画するスキャナ部と、記録層の記録状態を検出する検出部と、検出部の結果に基づいて記録強度を決定する補正部とを備えたものであり、スキャナ部は、入力画像情報に基づいて、複数の第１領域で走査し、検出部は、スキャナ部によって描画された複数の第１領域の記録状態を検出すると共に、複数の第１領域の記録状態を複数の第１領域の画像情報として補正部に出力し、補正部は、検出部から入力された複数の第１領域の画像情報と入力画像情報との差分を算出し、差分に基づいて、複数の第２領域に描画する記録強度を決定し、スキャナ部は、補正部で決定された記録強度を用いて複数の第２領域で走査する。
【００１０】
本開示の一実施形態の描画方法および本開示の一実施形態の感熱性記録媒体ならびに本開示の一実施形態の描画装置では、ロイコ色素および赤外領域の波長を吸収して発熱する光熱変換剤を含む記録層を備えた感熱性記録媒体に対して、入力画像情報に基づいて、それぞれが一の方向に延伸すると共に、互いに間隙を有する複数の第１領域に描画したのち、複数の第１領域の記録状態を検出して入力画像情報との差分を計算し、差分から決定される記録強度で、複数の第１領域のそれぞれの間隙の、それぞれが一の方向に延伸する複数の第２領域に描画する。これにより、記録装置の変動や感熱性記録媒体の設計からのずれ等による、入力画像情報から色合いのずれを低減する。記録層には、一の方向と直交する他の方向の直線上における隣り合う第１領域と第２領域との第１の色差が、他の方向の直線上における隣り合う第１領域の第２の色差よりも大きい画像が描画される。
【図面の簡単な説明】
【００１１】
【図１】本開示の第１の実施の形態に係る感熱性記録媒体への描画方法の流れ図である。
【図２】本開示の第１の実施の形態に係る感熱性記録媒体の平面模式図である。
【図３】図２に示した感熱性記録媒体の構成の一例を表す断面模式図である。
【図４】本開示の第１の実施の形態に係る描画装置のシステム構成例を表す図である。
【図５】入力画像の一例である。
【図６Ａ】図１に示した描画方法のステップＳ１０１における記録層の描画像を表す図である。
【図６Ｂ】図１に示した描画方法のステップＳ１０４における記録層の描画像を表す図である。
【図７】図５に示した入力画像の各区画の諧調を表す図である。
【図８】主走査方向に対するレーザ強度の変動の一例を表す特性図である。
【図９】主走査方向に対する記録層の膜厚の変動の一例を表す特性図である。
【図１０】ステップＳ１０１において描画された第１領域の各区画の諧調を表す図である。
【図１１】ステップＳ１０４において描画された第２領域の各区画の諧調を表す図である。
【図１２】レーザ強度に対する想定される諧調と、実際の諧調との関係を表す特性図である。
【図１３】本開示の第２の実施の形態に係る感熱性記録媒体への描画方法の流れ図である。
【図１４Ａ】ステップＳ２０１において描画された第１領域の各区画の諧調を表す図である。
【図１４Ｂ】ステップＳ２０４において描画された第２領域の各区画の諧調の一例を表す図である。
【図１４Ｃ】ステップＳ２０７において描画された第３領域の各区画の諧調の一例を表す図である。
【図１５Ａ】ステップＳ２０１において描画された第１領域の各区画の諧調を表す図である。
【図１５Ｂ】ステップＳ２０４において描画された第２領域の各区画の諧調の他の例を表す図である。
【図１５Ｃ】ステップＳ２０７において描画された第３領域の各区画の諧調の他の例を表す図である。
【図１６Ａ】適用例１の外観の一例を表す斜視図である。
【図１６Ｂ】適用例１の外観の他の例を表す斜視図である。
【図１７Ａ】適用例２の外観（前面側）の一例を表す斜視図である。
【図１７Ｂ】適用例２の外観（背面側）の一例を表す斜視図である。
【図１８Ａ】適用例３の外観の一例を表す斜視図である。
【図１８Ｂ】適用例３の外観の他の例を表す斜視図である。
【図１９】適用例４の一構成例を表す説明図である。
【図２０Ａ】適用例５の外観（上面）の一例を表す斜視図である。
【図２０Ｂ】適用例５の外観（側面）の一例を表す斜視図である。
【発明を実施するための形態】
【００１２】
以下、本開示における実施の形態について、図面を参照して詳細に説明する。以下の説明は本開示の一具体例であって、本開示は以下の態様に限定されるものではない。また、本開示は、各図に示す各構成要素の配置や寸法、寸法比等についても、それらに限定されるものではない。なお、説明する順序は、下記の通りである。
１．第１の実施の形態（第１領域を描画したのち、その描画像と入力画像との差分から決定される記録強度で第２領域の描画を行う描画方法の例）
１−１．感熱性記録媒体の構成
１−２．描画装置の構成
１−３．感熱性記録媒体の描画方法
１−４．作用・効果
２．第２の実施の形態（記録強度の補正を２回以上行う例）
３．適用例１〜５
【００１３】
＜１．第１の実施の形態＞
本開示の第１の実施の形態に係る感熱性記録媒体への描画方法について説明する。図１は、本実施の形態に係る描画方法の流れを表したものである。図２は、図１に示した描画方法を用いて描画された感熱性記録媒体（感熱性記録媒体１００）の平面模式図である。図３は、図２に示した感熱性記録媒体１００の断面構成の一例を模式的に表したものである。図４は、本実施の形態に係る描画装置（描画装置１）のシステム構成の一例を表したものである。なお、図３に示した感熱性記録媒体１００は断面構成を模式的に表したものであり、実際の寸法、形状とは異なる場合がある。
【００１４】
本実施の形態の描画方法は、感熱性記録媒体１００に対して、入力画像情報に基づいて、それぞれが一の方向（例えば、Ｘ軸方向）に延伸すると共に、互いに間隙を有する複数の第１領域Ａ１，Ａ２，・・・Ａｎに描画したのち、第１領域Ａ１，Ａ２，・・・Ａｎの記録状態を検出して入力画像情報との差分を計算し、差分から決定される記録強度で、第１領域Ａ１，Ａ２，・・・Ａｎのそれぞれの間隙の、それぞれが一の方向に延伸する複数の第２領域Ｂ１，Ｂ２，・・・Ｂｎに描画するものである。これにより、感熱性記録媒体１００には、Ｘ軸方向と直交する他の方向（例えば、Ｙ軸方向）の直線上における隣り合う、例えば第１領域Ａ１のａ１と第２領域Ｂ１のｂ１との色差（ΔＥａ１−ｂ２；第１の色差）が、Ｙ軸方向の直線上における隣り合う、例えば第１領域Ａ１のａ１と第１領域Ａ２のａ２との色差（ΔＥａ１−ａ２；第２の色差）よりも大きな描画像が形成される。
【００１５】
まず、感熱性記録媒体１００および描画装置１について説明し、その後にこれを用いた感熱性記録媒体１００への描画方法について説明する。
【００１６】
（１−１．感熱性記録媒体の構成）
感熱性記録媒体１００は、熱により可逆的に情報の記録や消去が可能な可逆性記録媒体であり、例えば、支持基体１１上に、記録状態および消去状態を可逆的に変化させることが可能な記録層１１２が配置されたものである。この記録層１１２は、例えば、互いに発色色調の異なる３つの層（記録層１１２Ｍ，記録層１１２Ｃ，記録層１１２Ｙ）がこの順に積層された構成を有する。記録層１１２Ｍと記録層１１２Ｃとの間および記録層１１２Ｃと記録層１１２Ｙとの間には、それぞれ、複数の層（ここでは、３層）からなる中間層１１３，１１４が設けられている。記録層１１２Ｙ上には、保護層１５が設けられている。
【００１７】
支持基体１１１は、記録層１１２を支持するためのものである。支持基体１１１は、耐熱性に優れ、且つ、平面方向の寸法安定性に優れた材料により構成されている。支持基体１１１は、光透過性および非光透過性のどちらの特性を有していてもよい。支持基体１１１は、例えば、ウェハ等の剛性を有する基板でもよいし、可撓性を有する薄層ガラス、フィルムあるいは紙等により構成してもよい。支持基体１１１として可撓性基板を用いることにより、フレキシブル（折り曲げ可能）な可逆性記録媒体を実現できる。
【００１８】
支持基体１１１の構成材料としては、例えば、無機材料、金属材料およびプラスチック等の高分子材料等が挙げられる。具体的には、無機材料としては、例えば、ケイ素（Ｓｉ）、酸化ケイ素（ＳｉＯX）、窒化ケイ素（ＳｉＮX）、酸化アルミニウム（ＡｌＯX）および酸化マグネシウム（ＭｇＯX）等が挙げられる。酸化ケイ素には、ガラスまたはスピンオングラス（ＳＯＧ）等が含まれる。金属材料としては、例えば、アルミニウム（Ａｌ）、銅（Ｃｕ）、銀（Ａｇ）、金（Ａｕ）、白金（Ｐｔ）、パラジウム（Ｐｄ）、ニッケル（Ｎｉ）、錫（Ｓｎ）、コバルト（Ｃｏ）、ロジウム（Ｒｈ）、イリジウム（Ｉｒ）、鉄（Ｆｅ）、ルテニウム（Ｒｕ）、オスミウム（Ｏｓ）、マンガン（Ｍｎ）、モリブデン（Ｍｏ）、タングステン（Ｗ）、ニオブ（Ｎｂ）、タンタル（Ｔａ）、チタン（Ｔｉ）、ビスマス（Ｂｉ）、アンチモン（Ｓｂ）および鉛（Ｐｂ）等の金属単体、あるいは、それらを２種以上含む合金が挙げられる。合金の具体例としては、ステンレス鋼（ＳＵＳ）、アルミニウム合金、マグネシウム合金およびチタン合金等が挙げられる。高分子材料としては、フェノール樹脂 、エポキシ樹脂、メラミン樹脂、尿素樹脂、不飽和ポリエステル樹脂、アルキド樹脂、ウレタン樹脂、ポリイミド、ポリエチレン、高密度ポリエチレン、中密度ポリエチレン、低密度ポリエチレン、ポリプロピレン、ポリ塩化ビニル、ポリ塩化ビニリデン、ポリスチレン、ポリ酢酸ビニル、ポリウレタン、アクリロニトリルブタジエンスチレン樹脂（ＡＢＳ）、アクリル樹脂（ＰＭＭＡ）、ポリアミド、ナイロン、ポリアセタール、ポリカーボネート（ＰＣ）、変性ポリフェニレンエーテル、ポリエチレンテレフタレート（ＰＥＴ）、ポリブチレンテレフタレート、環状ポリオレフィン、ポリフェニレンスルファイド、ポリテトラフロロエチレン（ＰＴＦＥ）、ポリサルフォン、ポリエーテルサルフォン、非晶ポリアリレート、液晶ポリマー、ポリエーテルエーテルケトン（ＰＥＥＫ）、ポリアミドイミド、ポリエチレンナフタレート（ＰＥＮ）およびトリアセチルセルロース、セルロースあるいは、それらの共重合体、ガラス繊維強化プラスチック、炭素繊維強化プラスチック（ＣＦＲＰ）等が挙げられる。なお、支持基体１１１の上面または下面には、反射層を設けるようにしてもよい。反射層を設けることにより、より鮮明な色表示が可能となる。
【００１９】
記録層１１２は、熱により可逆的に情報の書き込みや消去が可能なものであり、安定した繰り返し記録が可能な、消色状態と発色状態とを制御し得る材料を用いて構成されている。記録層１１２は、例えば、マゼンタ色（Ｍ）を呈する記録層１１２Ｍと、シアン色（Ｃ）を呈する記録層１１２Ｃと、黄色（Ｙ）を呈する記録層１１２Ｙとを有する。
【００２０】
記録層１１２は、記録層１１２Ｍ，１１２Ｃ，１１２Ｙは、互いに異なる色を呈する呈色性化合物（可逆性感熱発色性組成物）と、各呈色性化合物に対応する顕・減色剤と、互いに異なる波長域の光を吸収して発熱する光熱変換剤とを含む、例えば、高分子材料によって形成されている。これにより、感熱性記録媒体１００は、多色表示の着色が可能となる。具体的には、記録層１１２Ｍは、例えば、マゼンタ色を呈する呈色性化合物、これに対応する顕・減色剤および例えば、発光波長λ１の赤外線を吸収して発熱する光熱変換剤を含んで構成されている。記録層１１２Ｃは、例えば、シアン色を発色する呈色性化合物、これに対応する顕・減色剤および例えば、発光波長λ２の赤外線を吸収して呈する光熱変換剤を含んで構成されている。記録層１１２Ｙは、例えば、イエロー色を呈する呈色性化合物、これに対応する顕・減色剤および例えば、発光波長λ３の赤外線を吸収して発熱する光熱変換剤を含んで構成されている。発光波長λ１，λ２，λ３は、互いに異なる。
【００２１】
なお、記録層１１２Ｍ，１１２Ｃ，１１２Ｙは、消色状態では透明になる。これにより、感熱性記録媒体１００は、広い色域での記録が可能となる。記録層１１２Ｍ，１１２Ｃ，１１２Ｙの積層方向の厚さ（以下、単に厚さとする）は、例えば、１μｍ以上１０μｍ以下である。
【００２２】
呈色性化合物は、例えば、ロイコ色素が挙げられる。ロイコ色素としては、例えば、既存の感熱紙用色素が挙げられる。具体的には、一例として、下記式（１）に示した、分子内に、例えば電子供与性を有する基を含む化合物が挙げられる。
【００２３】
【化１】
2020054279.tif 000003
【００２４】
記録層１１２Ｍ，１１２Ｃ，１１２Ｙに用いる呈色性化合物は、特に制限はなく、目的に応じて適宜選択することができる。具体的な呈色性化合物としては、上記式（１）に示した化合物の他に、例えば、フルオラン系化合物、トリフェニルメタンフタリド系化合物、アザフタリド系化合物、フェノチアジン系化合物、ロイコオーラミン系化合物およびインドリノフタリド系化合物等が挙げられる。この他、例えば、２−アニリノ−３−メチル−６−ジエチルアミノフルオラン、２−アニリノ−３−メチル−６−ジ（ｎ−ブチルアミノ）フルオラン、２−アニリノ−３−メチル−６−（Ｎ−ｎ−プロピル−Ｎ−メチルアミノ）フルオラン、２−アニリノ−３−メチル−６−（Ｎ−イソプロピル−Ｎ−メチルアミノ）フルオラン、２−アニリノ−３−メチル−６−（Ｎ−イソブチル−Ｎ−メチルアミノ）フルオラン、２−アニリノ−３−メチル−６−（Ｎ−ｎ−アミル−Ｎ−メチルアミノ）フルオラン、２−アニリノ−３−メチル−６−（Ｎ−ｓｅｃ−ブチル−Ｎ−メチルアミノ）フルオラン、２−アニリノ−３−メチル−６−（Ｎ−ｎ−アミル−Ｎ−エチルアミノ）フルオラン、２−アニリノ−３−メチル−６−（Ｎ−ｉｓｏ−アミル−Ｎ−エチルアミノ）フルオラン、２−アニリノ−３−メチル−６−（Ｎ−ｎ−プロピル−Ｎ−イソプロピルアミノ）フルオラン、２−アニリノ−３−メチル−６−（Ｎ−シクロヘキシル−Ｎ−メチルアミノ）フルオラン、２−アニリノ−３−メチル−６−（Ｎ−エチル−ｐ−トルイジノ）フルオラン、２−アニリノ−３−メチル−６−（Ｎ−メチル−ｐ−トルイジノ）フルオラン、２−（ｍ−トリクロロメチルアニリノ）−３−メチル−６−ジエチルアミノフルオラン、２−（ｍ−トリフルロロメチルアニリノ）−３−メチル−６−ジエチルアミノフルオラン、２−（ｍ−トリクロロメチルアニリノ）−３−メチル−６−（Ｎ−シクロヘキシル−Ｎ−メチルアミノ）フルオラン、２−（２，４−ジメチルアニリノ）−３−メチル−６−ジエチルアミノフルオラン、２−（Ｎ−エチル−ｐ−トルイジノ）−３−メチル−６−（Ｎ−エチルアニリノ）フルオラン、２−（Ｎ−エチル−ｐ−トルイジノ）−３−メチル−６−（Ｎ−プロピル−ｐ−トルイジノ）フルオラン、２−アニリノ−６−（Ｎ−ｎ−ヘキシル−Ｎ−エチルアミノ）フルオラン、２−（ｏ−クロロアニリノ）−６−ジエチルアミノフルオラン、２−（ｏ−クロロアニリノ）−６−ジブチルアミノフルオラン、２−（ｍ−トリフロロメチルアニリノ）−６−ジエチルアミノフルオラン、２，３−ジメチル−６−ジメチルアミノフルオラン、３−メチル−６−（Ｎ−エチル−ｐ−トルイジノ）フルオラン、２−クロロ−６−ジエチルアミノフルオラン、２−ブロモ−６−ジエチルアミノフルオラン、２−クロロ−６−ジプロピルアミノフルオラン、３−クロロ−６−シクロヘキシルアミノフルオラン、３−ブロモ−６−シクロヘキシルアミノフルオラン、２−クロロ−６−（Ｎ−エチル−Ｎ−イソアミルアミノ）フルオラン、２−クロロ−３−メチル−６−ジエチルアミノフルオラン、２−アニリノ−３−クロロ−６−ジエチルアミノフルオラン、２−（ｏ−クロロアニリノ）−３−クロロ−６−シクロヘキシルアミノフルオラン、２−（ｍ−トリフロロメチルアニリノ）−３−クロロ−６−ジエチルアミノフルオラン、２−（２，３−ジクロロアニリノ）−３−クロロ−６−ジエチルアミノフルオラン、１，２−ベンゾ−６−ジエチルアミノフルオラン、３−ジエチルアミノ−６−（ｍ−トリフロロメチルアニリノ）フルオラン、３−（１−エチル−２−メチルインドール−３−イル）−３−（２−エトキシ−４−ジエチルアミノフェニル）−４−アザフタリド、３−（１−エチル−２−メチルインドール−３−イル）−３−（２−エトキシ−４−ジエチルアミノフェニル）−７−アザフタリド、３−（１−オクチル−２−メチルインドール−３−イル）−３−（２−エトキシ−４−ジエチルアミノフェニル）−４−アザフタリド、３−（１−エチル−２−メチルインドール−３−イル）−３−（２−メチル−４−ジエチルアミノフェニル）−４−アザフタリド、３−（１−エチル−２−メチルインドール−３−イル）−３−（２−メチル−４−ジエチルアミノフェニル）−７−アザフタリド、３−（１−エチル−２−メチルインドール−３−イル）−３−（４−ジエチルアミノフェニル）−４−アザフタリド、３−（１−エチル−２−メチルインドール−３−イル）−３−（４−Ｎ−ｎ−アミル−Ｎ−メチルアミノフェニル）−４−アザフタリド、３−（１−メチル−２−メチルインドール−３−イル）−３−（２−ヘキシルオキシ−４−ジエチルアミノフェニル）−４−アザフタリド、３，３−ビス（２−エトキシ−４−ジエチルアミノフェニル）−４−アザフタリド、３，３−ビス（２−エトキシ−４−ジエチルアミノフェニル）−７−アザフタリド、２−（ｐ−アセチルアニリノ）−６−（Ｎ−ｎ−アミル−Ｎ−ｎ−ブチルアミノ）フルオラン、２−ベンジルアミノ−６−（Ｎ−エチル−ｐ−トルイジノ）フルオラン、２−ベンジルアミノ−６−（Ｎ−メチル−２，４−ジメチルアニリノ）フルオラン、２−ベンジルアミノ−６−（Ｎ−エチル−２，４−ジメチルアニリノ）フルオラン、２−ベンジルアミノ−６−（Ｎ−メチル−ｐ−トルイジノ）フルオラン、２−ベンジルアミノ−６−（Ｎ−エチル−ｐ−トルイジノ）フルオラン、２−（ジ−ｐ−メチルベンジルアミノ）−６−（Ｎ−エチル−ｐ−トルイジノ）フルオラン、２−（α−フェニルエチルアミノ）−６−（Ｎ−エチル−ｐ−トルイジノ）フルオラン、２−メチルアミノ−６−（Ｎ−メチルアニリノ）フルオラン、２−メチルアミノ−６−（Ｎ−エチルアニリノ）フルオラン、２−メチルアミノ−６−（Ｎ−プロピルアニリノ）フルオラン、２−エチルアミノ−６−（Ｎ−メチル−ｐ−トルイジノ）フルオラン、２−メチルアミノ−６−（Ｎ−メチル−２，４−ジメチルアニリノ）フルオラン、２−エチルアミノ−６−（Ｎ−エチル−２，４−ジメチルアニリノ）フルオラン、２−ジメチルアミノ−６−（Ｎ−メチルアニリノ）フルオラン、２−ジメチルアミノ−６−（Ｎ−エチルアニリノ）フルオラン、２−ジエチルアミノ−６−（Ｎ−メチル−ｐ−トルイジノ）フルオラン、２−ジエチルアミノ−６−（Ｎ−エチル−ｐ−トルイジノ）フルオラン、２−ジプロピルアミノ−６−（Ｎ−メチルアニリノ）フルオラン、２−ジプロピルアミノ−６−（Ｎ−エチルアニリノ）フルオラン、２−アミノ−���−（Ｎ−メチルアニリノ）フルオラン、２−アミノ−６−（Ｎ−エチルアニリノ）フルオラン、２−アミノ−６−（Ｎ−プロピルアニリノ）フルオラン、２−アミノ−６−（Ｎ−メチル−ｐ−トルイジノ）フルオラン、２−アミノ−６−（Ｎ−エチル−ｐ−トルイジノ）フルオラン、２−アミノ−６−（Ｎ−プロピル−ｐ−トルイジノ）フルオラン、２−アミノ−６−（Ｎ−メチル−ｐ−エチルアニリノ）フルオラン、２−アミノ−６−（Ｎ−エチル−ｐ−エチルアニリノ）フルオラン、２−アミノ−６−（Ｎ−プロピル−ｐ−エチルアニリノ）フルオラン、２−アミノ−６−（Ｎ−メチル−２，４−ジメチルアニリノ）フルオラン、２−アミノ−６−（Ｎ−エチル−２，４−ジメチルアニリノ）フルオラン、２−アミノ−６−（Ｎ−プロピル−２，４−ジメチルアニリノ）フルオラン、２−アミノ−６−（Ｎ−メチル−ｐ−クロロアニリノ）フルオラン、２−アミノ−６−（Ｎ−エチル−ｐ−クロロアニリノ）フルオラン、２−アミノ−６−（Ｎ−プロピル−ｐ−クロロアニリノ）フルオラン、１，２−ベンゾ−６−（Ｎ−エチル−Ｎ−イソアミルアミノ）フルオラン、１，２−ベンゾ−６−ジブチルアミノフルオラン、１，２−ベンゾ−６−（Ｎ−メチル−Ｎ−シクロヘキシルアミノ）フルオランおよび１，２−ベンゾ−６−（Ｎ−エチル−Ｎ−トルイジノ）フルオラン等が挙げられる。記録層１１２Ｍ，１１２Ｃ，１１２Ｙには、上記呈色性化合物を１種単独で用いてもよいし、２種以上を組み合わせて用いてもよい。
【００２５】
顕・減色剤は、例えば、無色の呈色性化合物を発色または、所定の色を呈している呈色性化合物を消色させるためのものである。顕・減色剤としては、例えば、フェノール誘導体、サリチル酸誘導体および尿素誘導体等が挙げられる。具体的には、例えば、下記一般式（２）に示したサリチル酸骨格を有し、分子内に電子受容性を有する基を含む化合物が挙げられる。
【００２６】
【化２】
2020054279.tif 000004
（Ｘは、−ＮＨＣＯ−、−ＣＯＮＨ−、−ＮＨＣＯＮＨ−、−ＣＯＮＨＣＯ−、−ＮＨＮＨＣＯ−、−ＣＯＮＨＮＨ−、−ＣＯＮＨＮＨＣＯ−、−ＮＨＣＯＣＯＮＨ−、−ＮＨＣＯＮＨＣＯ−、−ＣＯＮＨＣＯＮＨ−、−ＮＨＮＨＣＯＮＨ−、−ＮＨＣＯＮＨＮＨ−、−ＣＯＮＨＮＨＣＯＮＨ−、−ＮＨＣＯＮＨＮＨＣＯ−、−ＣＯＮＨＮＨＣＯＮＨ−のうちのいずれかである。Ｒは、炭素数２５以上３４以下の直鎖状の炭化水素基である。）
【００２７】
顕・減色剤としては、この他、例えば、４，４’−イソプロピリデンビスフェノール、４，４’−イソプロピリデンビス（ｏ−メチルフェノール）、４，４’−セカンダリーブチリデンビスフェノール、４，４’−イソプロピリデンビス（２−ターシャリーブチルフェノール）、ｐ−ニトロ安息香酸亜鉛、１，３，５−トリス（４−ターシャリーブチル−３−ヒドロキシ−２，６−ジメチルベンジル）イソシアヌル酸、２，２−（３，４’−ジヒドロキシジフェニル）プロパン、ビス（４−ヒドロキシ−３−メチルフェニル）スルフィド、４−｛β−（ｐ−メトキシフェノキシ）エトキシ｝サリチル酸、１，７−ビス（４−ヒドロキシフェニルチオ）−３，５−ジオキサヘプタン、１，５−ビス（４−ヒドロキシフェニチオ）−５−オキサペンタン、フタル酸モノベンジルエステルモノカルシウム塩、４，４’−シクロヘキシリデンジフェノール、４,４’−イソプロピリデンビス（２−クロロフェノール）、２，２’−メチレンビス（４−メチル−６−ターシャリ−ブチルフェノール）、４，４’−ブチリデンビス（６−ターシャリ−ブチル−２−メチル）フェノール、１，１，３−トリス（２−メチル−４−ヒドロキシ−５−ターシャリ−ブチルフェニル）ブタン、１，１，３−トリス（２−メチル−４−ヒドロキシ−５−シクロヘキシルフェニル）ブタン、４，４’−チオビス（６−ターシャリ−ブチル−２−メチル）フェノール、４，４’−ジフェノールスルホン、４−イソプロポキシ−４’−ヒドロキシジフェニルスルホン（４−ヒドロキシ−４’−イソプロポキシジフェニルスルホン）、４−ベンジロキシ−４’−ヒドロキシジフェニルスルホン、４，４’−ジフェノールスルホキシド、ｐ−ヒドロキシ安息香酸イソプロピル、ｐ−ヒドロキシ安息香酸ベンジル、プロトカテキユ酸ベンジル、没食子酸ステアリル、没食酸ラウリル、没食子酸オクチル、１，３−ビス（４−ヒドロキシフェニルチオ）−プロパン、Ｎ，Ｎ’−ジフェニルチオ尿素、Ｎ，Ｎ’−ジ（ｍ−クロロフェニル）チオ尿素、サリチルアニリド、ビス（４−ヒドロキシフェニル）酢酸メチルエステル、ビス（４−ヒドロキシフェニル）酢酸ベンジルエステル、１，３−ビス（４−ヒドロキシクミル）ベンゼン、１，４−ビス（４−ヒドロキシクミル）ベンゼン、２，４’−ジフェノールスルホン、２，２’−ジアリル−４，４’−ジフェノールスルホン、３，４−ジヒドロキシフェニル−４’−メチルジフェニルスルホン、１−アセチルオキシ−２−ナフトエ酸亜鉛、２−アセチルオキシ−１−ナフトエ酸亜鉛、２−アセチルオキシ−３−ナフトエ酸亜鉛、α，α−ビス（４−ヒドロキシフェニル）−α−メチルトルエン、チオシアン酸亜鉛のアンチピリン錯体、テトラブロモビスフェノールＡ、テトラブロモビスフェノールＳ、４，４’−チオビス（２−メチルフェノール）、４，４’−チオビス（２−クロロフェノール）、ドデシルホスホン酸、テトラデシルホスホン酸、ヘキサデシルホスホン酸、オクタデシルホスホン酸、エイコシルホスホン酸、ドコシルホスホン酸、テトラコシルホスホン酸、ヘキサコシルホスホン酸、オクタコシルホスホン酸、α−ヒドロキシドデシルホスホン酸、α−ヒドロキシテトラデシルホスホン酸、α−ヒドロキシヘキサデシルホスホン酸、α−ヒドロキシオクタデシルホスホン酸、α−ヒドロキシエイコシルホスホン酸、α−ヒドロキシドコシルホスホン酸、α−ヒドロキシテトラコシルホスホン酸、ジヘキサデシルホスフェート、ジオクタデシルホスフェート、ジエイコシルホスフェート、ジドコシルホスフェート、モノヘキサデシルホスフェート、モノオクタデシルホスフェート、モノエイコシルホスフェート、モノドコシルホスフェート、メチルヘキサデシルホスフェート、メチルオクタデシルホスフェート、メチルエイコシルホスフェート、メチルドコシルホスフェート、アミルヘキサデシルホスフェート、オクチルヘキサデシルホスフェートおよびラウリルヘキサデシルホスフェート等が挙げられる。記録層１１２Ｍ，１１２Ｃ，１１２Ｙには、上記顕・減色剤を１種単独で用いてもよいし、２種以上を組み合わせて用いてもよい。
【００２８】
光熱変換剤は、例えば近赤外領域（例えば、波長７００ｎｍ以上２５００ｎｍ以下）の特性の波長域の光を吸収して発熱するものである。本実施の形態では、記録層１１２Ｍ，１１２Ｃ，１１２Ｙに用いる光熱変換剤は、光吸収帯が狭く、且つ、互いに重なり合わない材料の組み合わせを選択することが好ましい。これにより、記録層１１２Ｍ，１１２Ｃ，１１２Ｙのうち所望の層を選択的に発色または消色させることが可能となる。一例として、記録層１１２Ｍに含まれる光熱変換剤は、７６０ｎｍに吸収ピークを有するものが挙げられる。記録層１１２Ｃに含まれる光熱変換剤は、８６０ｎｍに吸収ピークを有しているものが挙げられる。記録層１１２Ｙに含まれる光熱変換剤は、９１５ｎｍに吸収ピークを有しているものが挙げられる。なお、上記吸収ピークは一例であり、これに限定されるものではない。
【００２９】
光熱変換剤としては、例えば、フタロシアニン骨格を有する化合物（フタロシアニン系色素）、ナフタロシアニン骨格を有する化合物（ナフタロシアニン系色素）、スクアリリウム骨格を有する化合物（スクアリリウム系色素）、シアニン骨格を有する化合物（シアニン系色素）、ジイモニウム塩、アミニウム塩等の有機系化合物および、例えばジチオ錯体等の金属錯体、四三酸化コバルト、酸化鉄、酸化クロム、酸化銅、チタンブラック、ＩＴＯ、窒化ニオブ、の無機系化合物、炭化タンタル等の有機金属系化合物等が挙げられる。
【００３０】
高分子材料は、呈色性化合物、顕・減色剤および光熱変換剤が均質に分散しやすいものが好ましい。高分子材料としては、例えば、マトリクス樹脂を用いることが好ましく、例えば、熱硬化性樹脂および熱可塑性樹脂が挙げられる。具体的には、例えば、ポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、シクロオレフィンコポリマー、 ポリビニルアルコール、変性ポリビニルアルコール、ポリビニルブチラール、ポリビニルフェノール、ポリビニルピロリドン、ヒドロキシエチルセルロース、カルボキシメチルセルロース、デンプン、フェノール樹脂 、エポキシ樹脂、メラミン樹脂、尿素樹脂、不飽和ポリエステル樹脂、アルキド樹脂、ウレタン樹脂、ポリアリレート樹脂、ポリイミド、ポリアミドおよびポリアミドイミド等が挙げられる。上記の高分子材料は架橋させて用いてもよい。
【００３１】
記録層１１２Ｍ，１１２Ｃ，１１２Ｙは、上記呈色性化合物、顕・減色剤および光熱変換剤を、それぞれ少なくとも１種ずつ含んで構成されている。記録層１１２Ｍ，１１２Ｃ，１１２Ｙは、上記材料の他に、例えば増感剤や紫外線吸収剤等の各種添加剤を含んで構成されていてもよい。
【００３２】
中間層１１３，１１４は、記録層１１２Ｍと記録層１１２Ｃとの間、記録層１１２Ｃと記録層１１２Ｙとの間で含有分子の拡散や描画時の伝熱が生じるのを抑制するためのものである。中間層１１３は、例えば３層構造を有し、第１層１１３Ａ、第２層１１３Ｂおよび第３層１１３Ｃがこの順に積層された構成を有する。中間層１１４は、中間層１１３と同様に例えば３層構造を有し、第１層１１４Ａ、第２層１１４Ｂおよび第３層１１４Ｃがこの順に積層された構成を有する。各層１１３Ａ，１１３Ｂ，１１３Ｃ（，１１４Ａ，１１４Ｂ，１１４Ｃ）は、一般的な透光性を有する高分子材料を用いて構成されており、特に、上記積層構造における真ん中の層（第２層１１３Ｂ，１１４Ｂ）は、例えば、他の層（第１層１１３Ａ，１１４Ａおよび第３層１１３Ｃ，１１４Ｃ）よりもヤング率の低い材料を用いることが好ましい。
【００３３】
第１層１１３Ａ，１１４Ａおよび第３層１１３Ｃ，１１４Ｃは、例えば、一般的な透光性を有する高分子材料を用いて構成されている。具体的な材料としては、例えば、ポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、シクロオレフィンコポリマー、ポリビニルアルコール、変性ポリビニルアルコール、ポリビニルブチラール、ポリビニルフェノール、ポリビニルピロリドン、ヒドロキシエチルセルロース、カルボキシメチルセルロース、デンプン、フェノール樹脂 、エポキシ樹脂、メラミン樹脂、尿素樹脂、不飽和ポリエステル樹脂、アルキド樹脂、ウレタン樹脂、ポリアリレート樹脂、ポリイミド、ポリアミドおよびポリアミドイミド等が挙げられる。
【００３４】
第２層１１３Ｂ，１１４Ｂの材料としては、例えば、シリコーン系エラストマー、アクリル系エラストマー、ウレタン系エラストマー、スチレン系エラストマー、ポリエステル系エラストマー、オレフィン系エラストマー、ポリ塩化ビニル系エラストマー、天然ゴム、スチレン・ブタジエンゴム、イソプレンゴム、ブタジエンゴム、クロロプレンゴム、アクリロニトリル・ブタジエンゴム、ブチルゴム、エチレン・プロピレンゴム、エチレン・プロピレン・ジエンゴム、ウレタンゴム、シリコーンゴム、フッ素ゴム、クロロスルホン化ポリエチレン、塩素化ポリエチレン、アクリルゴム、多硫化ゴム、エピクロルヒドリンゴム、ポリジメチルシロキサン（ＰＤＭＳ）、ポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、シクロオレフィンコポリマー、ポリビニルアルコール、変性ポリビニルアルコール、ポリビニルブチラール、ポリビニルフェノール、ポリビニルピロリドン、ヒドロキシエチルセルロース、カルボキシメチルセルロース、デンプン、フェノール樹脂 、エポキシ樹脂、メラミン樹脂、尿素樹脂、不飽和ポリエステル樹脂、アルキド樹脂、ウレタン樹脂、ポリアリレート樹脂、ポリイミド、ポリアミドおよびポリアミドイミド等が挙げられる。
【００３５】
各層１１３Ａ，１１３Ｂ，１１３Ｃ（，１１４Ａ，１１４Ｂ，１１４Ｃ）を構成する材料は、第２層１１３Ｂ，１１４Ｂが第１層１１３Ａ，１１４Ａおよび第３層１１３Ｃ，１１４Ｃよりもヤング率の低い材料であればその組み合わせは限定されない。また、中間層１１３，１１４は、上記の高分子材料を架橋させて用いてもよい。更に、中間層１１３，２４は、例えば紫外線吸収剤等の各種添加剤を含んで構成されていてもよい。
【００３６】
中間層１１３，１１４の厚さは、例えば１μｍ以上１００μｍ以下であることが好ましく、より好ましくは、例えば５μｍ以上２０μｍ以下である。このうち、第１層１１３Ａ，１１４Ａの厚さは、例えば０．１μｍ以上１０μｍ以下であることが好ましく、第２層１１３Ｂ，１１４Ｂの厚さは、例えば０．０１μｍ以上１０μｍ以下であることが好ましい。第３層１１３Ｃ，１１４Ｃの厚さは、例えば０．１μｍ以上１０μｍ以下であることが好ましい。
【００３７】
保護層１１５は、記録層１１２（ここでは、記録層１１２Ｙ）の表面を保護するためのものであり、例えば、紫外線硬化性樹脂や熱硬化性樹脂を用いて形成されている。保護層１１５の厚さは、例えば０．１μｍ以上１００μｍ以下である。
【００３８】
（１−２．描画装置の構成）
次に、本実施の形態に係る描画装置１について説明する。
【００３９】
描画装置１は、例えば、信号処理回路１０、レーザ駆動回路２０、光源部３０、合波部４０、スキャナ部５０、スキャナ駆動回路６０、検出部７０および補正部８０を備えている。
【００４０】
信号処理回路１０は、感熱性記録媒体１００の特徴や、感熱性記録媒体１００へ書き込まれた条件に応じて、外部から入力された描画信号Ｄ１ｉｎ、また、後述する補正部８０８０から入力された描画信号Ｄ２ｉｎを光源部３０の各光源の波長に応じた画像信号に変換（色域変換）するものである。信号処理回路１０は、例えば、スキャナ部５０のスキャナ動作に同期した投影映像クロック信号を生成する。信号処理回路１０は、例えば、生成した画像信号通りに光ビーム（レーザ光）が発光するような投影画像信号を生成する。信号処理回路１０は、例えば、生成した投影画像信号を、レーザ駆動回路２０に出力する。また、信号処理回路１０は、例えば、必要に応じて、投影画像クロック信号を、レーザ駆動回路２０に出力する。
【００４１】
レーザ駆動回路２０は、例えば、各波長に応じた投影映像信号にしたがって光源部３０の各光源３１Ａ，３１Ｂ，３１Ｃを駆動するものである。レーザ駆動回路２０は、例えば、投影画像信号に応じた画像を描画するためにレーザ光の輝度（明暗）を制御する。レーザ駆動回路２０は、例えば、光源３１Ａを駆動する駆動回路２１Ａと、光源３１Ｂを駆動する駆動回路２１Ｂと、光源３１Ｃを駆動する駆動回路２１Ｃとを有している。光源３１Ａ，３１Ｂ，３１Ｃは、例えば、近赤外域（７００ｎｍ〜２５００ｎｍ）のレーザ光を出射する。光源３１Ａは、例えば、発光波長λ１のレーザ光Ｌａを出射する半導体レーザである。光源３１Ｂは、例えば、発光波長λ２のレーザ光Ｌｂを出射する半導体レーザである。光源３１Ｃは、例えば、発光波長λ３のレーザ光Ｌｃを出射する半導体レーザである。発光波長λ１，λ２は、例えば、以下の条件１（式（１）、式（２））を満たしている。発光波長λ２，λ３は、例えば、以下の条件２（式（３）、式（４））を満たしていてもよい。
【００４２】
〜条件１〜
λａ２＜λ１＜λａ１…（１）
λａ３＜λ２＜λａ２…（２）
〜条件２〜
λａ１−１０ｎｍ＜λ３＜λａ１＋１０ｎｍ…（３）
λａ３＜λ２＜λａ２…（４）
【００４３】
ここで、λａ１は、例えば記録層１１２Ｍの吸収波長（吸収ピーク波長）であり、例えば８８０ｎｍである。λａ２は、後述する記録層１１２Ｃの吸収波長（吸収ピーク波長）であり、例えば７９０ｎｍである。λａ３は、後述する記録層１１２Ｙの吸収波長（吸収ピーク波長）であり、例えば９１５ｎｍである。なお、式（３）における「±１０ｎｍ」は、許容誤差範囲を意味している。発光波長λ１，λ２が上記の条件１を満たす場合、発光波長λ１は、例えば、８８０ｎｍであり、発光波長λ２は、例えば、７９０ｎｍである。発光波長λ１，λ２が上記の条件２を満たす場合、発光波長λ１は、例えば、９５０ｎｍであり、発光波長λ２は、例えば、７９０ｎｍである。
【００４４】
光源部３０は、感熱性記録媒体１００への情報の書き込みに用いる光源を有するものである。光源部３０は、例えば、３つの光源３１Ａ，３１Ｂ，３１Ｃを有している。
【００４５】
合波部４０は、例えば、２つの反射ミラー４１ａ，４１ｄと、２つのダイクロイックミラー４１ｂ，４１ｃとを有するものである。光源３１Ａ，３１Ｂ，３１Ｃから出射された各レーザ光Ｌａ，Ｌｂ，Ｌｃは、例えば、コリメートレンズによってほぼ平行光（コリメート光）にされる。その後、例えば、レーザ光Ｌａは、反射ミラー４１ａで反射されると共にダイクロイックミラー４１ｂで反射される。レーザ光Ｌｂは、ダイクロイックミラー４１ｂ，４１ｃを透過する。レーザ光Ｌｃは、反射ミラー４１ｄで反射されると共にダイクロイックミラー４１ｃで反射される。これにより、レーザ光Ｌａ、レーザ光Ｌｂおよびレーザ光Ｌｃが合波される。合波部４０は、例えば、合波により得られた合波光Ｌｍをスキャナ部５０に出力する。
【００４６】
スキャナ部５０は、例えば、合波部４０から入射された合波光Ｌｍを、感熱性記録媒体１００の表面上で線順次で走査させるものである。スキャナ部５０は、例えば、２軸スキャナ５１と、ｆθレンズ５２とを有している。２軸スキャナ５１は、例えば、ガルバノミラーである。ｆθレンズ５２は、２軸スキャナ５１による等速回転運動を、焦点平面（感熱性記録媒体１００の表面）上を動くスポットの等速直線運動に変換する。
【００４７】
スキャナ駆動回路６０は、例えば、信号処理回路１０から入力された投影映像クロック信号に同期して、スキャナ部５０を駆動するものである。また、スキャナ駆動回路６０は、例えば、スキャナ部５０から２軸スキャナ５１等の照射角度についての信号が入力される場合には、その信号に基づいて、所望の照射角度になるようにスキャナ部５０を駆動する。
【００４８】
検出部７０は、感熱性記録媒体１００へ描画された描画像を検出するものである。具体的には、検出部７０では、例えば、ステップＳ１０１において第１領域Ａ１，Ａ２，・・・Ａｎに描画された描画像が検出される（ステップＳ１０２）。
【００４９】
補正部８０は、検出部７０において検出された描画像の画像情報と、入力画像の画像情報とを比較して描画像と入力画像との差分を算出し、その差分に基づいて記録強度を決定するものである。具体的には、補正部８０では、ステップＳ１０２において検出された第１領域Ａ１，Ａ２，・・・Ａｎの描画像の画像情報と、入力画像の画像情報との差分が計算され、その差分に基づいて、第２領域Ｂ１，Ｂ２，・・・Ｂｎへの記録強度が決定される（ステップＳ１０３）。補正部８０において決定された記録強度は、描画信号Ｄ２ｉｎとして信号処理回路１０へ出力される。
【００５０】
（１−３．感熱性記録媒体の描画方法）
次に、本実施の形態に係る感熱性記録媒体（感熱性記録媒体１００）への描画方法について図１、図５、図６Ａおよび図６Ｂを用いて説明する。
【００５１】
まず、感熱性記録媒体１００を用意し、描画装置１にセットする。次に、信号処理回路１０は、入力画像（例えば、図５に示した入力画像Ｄ１）の信号（描画信号Ｄ１ｉｎ）に基づいて、駆動する光源を選択する。信号処理回路１０は、描画信号Ｄ１ｉｎに基づいて選択した光源を駆動するための投影映像信号を生成する。信号処理回路１０は、生成した投影画像信号をレーザ駆動回路２０に出力して光源部３０を制御する。これにより、例えば発光波長７６０ｎｍのレーザ光Ｌａ、８６０ｎｍのレーザ光Ｌｂおよび９１５ｎｍのレーザ光Ｌｃを適宜合波することにより得られた合波光Ｌｍ１が、描画装置１のセットから感熱性記録媒体１００の一部の領域（第１領域にＡ１，Ａ２，・・・Ａｎ）に照射される。その結果、図６Ａに示したように、第１領域Ａ１，Ａ２，・・・Ａｎに、マゼンタ色、シアン色および黄色の混色によって、描画信号Ｄ１ｉｎに基づいた描画がなされる（ステップＳ１０１）。
【００５２】
次に、検出部７０において第１領域Ａ１，Ａ２，・・・Ａｎの描画像を検出する（ステップＳ１０２）。これによって得られた第１領域Ａ１，Ａ２，・・・Ａｎの描画像の画像情報は補正部８０へ出力される。なお、描画像を検出する際には、例えば、光源を点灯させてもよい。あるいは、描画装置１に外部の光を取り込むための光透過性を有する窓を設けておき、その窓から入射する外光を用いてもよい。
【００５３】
続いて、補正部８０において、第１領域Ａ１，Ａ２，・・・Ａｎの描画像の画像情報と、入力画像の画像情報とを比較して描画像と入力画像Ｄ１との差分を算出する（ステップＳ１０３）。補正部８０では、その差分に基づいて、ステップＳ１０１において描画しなかった残りの領域（第２領域Ｂ１，Ｂ２，・・・Ｂｎ）への記録強度を決定する。決定された記録強度は、描画信号Ｄ２ｉｎとして信号処理回路１０へ出力される。
【００５４】
信号処理回路１０は、補正部８０から入力された描画信号Ｄ２ｉｎに基づいて、駆動する光源を選択する。信号処理回路１０は、描画信号Ｄ２ｉｎに基づいて選択した光源を駆動するための投影映像信号を生成する。信号処理回路１０は、生成した投影画像信号をレーザ駆動回路２０に出力して光源部３０を制御する。これにより、例えば発光波長７６０ｎｍのレーザ光Ｌａ、８６０ｎｍのレーザ光Ｌｂおよび９１５ｎｍのレーザ光Ｌｃを適宜合波することにより得られた合波光Ｌｍ２が、描画装置１のセットから感熱性記録媒体１００の第２領域Ｂ１，Ｂ２，・・・Ｂｎに出射される。その結果、図６Ｂに示したように、第１領域Ａ１，Ａ２，・・・Ａｎにそれぞれ隣接する第２領域Ｂ１，Ｂ２，・・・Ｂｎに、マゼンタ色、シアン色および黄色の混色によって、描画信号Ｄ２ｉｎに基づいた描画がなされる（ステップＳ１０１４）。
【００５５】
以下に、上述した描画方法の一具体例を図７、図１０および図１１を用いて説明する。
【００５６】
図７は、入力画像Ｄ１を例えば２４の区画に分け、各区画のマゼンタの諧調を表したものである。ここで、入力画像Ｄ１は２５５段階の濃淡データ（２５５諧調）で表され、マゼンタ以外のシアンおよびイエローの諧調は変化しないものとする。
【００５７】
本実施の形態では、例えば図７に示した入力画像Ｄ１の２４の区画を縦方向にさらに２分割し、その上段を第１領域Ａ、下段を第２領域Ｂとし、上述したように、まず、入力画像Ｄ１の描画信号Ｄ１ｉｎに基づいて適宜合波した合波光Ｌｍ１を、各区画の上段の第１領域Ａ（Ａ１，Ａ２，・・・Ａｎ）に照射する。
【００５８】
ところで、感熱性記録媒体への描画では、前述したように、記録装置の変動や感熱性記録媒体の設計からのずれ等により、想定していた画像から色合いがずれる場合がある。図８は、記録装置の変動の一例として、主走査方向に対するレーザ強度の変動を表したものである。図９は、感熱性記録媒体の設計からのずれの一例として、主走査方向に対する記録層の膜厚の変動を表したものである。ここで、主走査方向は、例えば図７におけるＸ軸方向であり、紙面左端から右端に向かって進むものとする。
【００５９】
図８に示したように、描画開始時のレーザ強度が低かったり、図９に示したように、描画開始点の記録層１１２の膜厚が薄い場合には、描画信号Ｄ１ｉｎにおいてマゼンタの諧調が６５となるように設定されていたとしても、実際に当該領域に描画されるマゼンタの諧調は６５よりも小さい値となる。具体的には、図６Ａに示したように、描画開始点（例えば、第１領域Ａ１のＸ−１（区画Ａ１−１、以下、Ｘには、対応する領域番号が入るものとする））から、例えば、レーザ強度や記録層１１２の膜厚が設定値となる区画（例えば、第１領域Ａ１のＸ−５（区画Ａ１−５））までグラデーションが形成される。
【００６０】
検出部７０では、第１領域Ａ１，Ａ２，・・・Ａｎに描画された描画像を区画ごとに諧調として検出する。図１０は、図６Ａに示した第１領域Ａ１，Ａ２，・・・Ａｎの描画像の各区画におけるマゼンタの諧調を表したものである。各区画におけるマゼンタの諧調は、描画開始点である左端から順に、２５（例えば、区画Ａ１−１），３５（例えば、区画Ａ１−２），４５（例えば、区画Ａ１−３），５５（例えば、区画Ａ１−４）と徐々に大きな値となり、左から５区画目（例えば、区画Ａ１−５）で入力画像Ｄ１と同じ６５諧調となっている。検出部７０からは、この第１領域Ａ１，Ａ２，・・・Ａｎの各区画（例えば、区画Ａ１−１，Ａ１−２，・・・Ａ１−８）の諧調が、第１領域Ａ１，Ａ２，・・・Ａｎの画像情報として補正部８０に出力される。
【００６１】
補正部８０では、検出部７０から入力された第１領域Ａ１，Ａ２，・・・Ａｎの各区画（例えば、区画Ａ１−１，Ａ１−２，・・・Ａ１−８）の諧調情報と、入力画像Ｄ１の対応する区画の諧調情報とから、第１領域Ａ１，Ａ２，・・・Ａｎの各区画（例えば、区画Ａ１−１，Ａ１−２，・・・Ａ１−８）と入力画像Ｄ１との差分を計算する。その結果を基に、各区画（Ｘ−１，Ｘ−２，・・・Ｘ−８）において入力画像Ｄ１の諧調を得るのに必要な、第２領域Ｂ１，Ｂ２，・・・Ｂｎの各区画（例えば、区画Ｂ１−１，Ｂ１−２，・・・Ｂ１−８）の諧調情報を算出する。
【００６２】
図１１は、入力画像Ｄ１と同等の描画像を得るために第２領域Ｂ１，Ｂ２，・・・Ｂｎの各区画（例えば、区画Ｂ１−１，Ｂ１−２，・・・Ｂ１−８）に求められる諧調を表したものである。例えば、図７に示したように、区画Ｘ−１における入力画像Ｄ１のマゼンタの諧調が６５であり、区画Ｘ−１の上段の第１領域Ａ（区画Ａ１−１）のマゼンタの諧調が２５であった場合、その区画の下段の第２領域Ｂ（区画Ｂ１−１）に描画される諧調は１０５となる。
【００６３】
補正部８０では、さらに、上記において算出された第２領域Ｂ１，Ｂ２，・・・Ｂｎの各区画（例えば、区画Ｂ１−１，Ｂ１−２，・・・Ｂ１−８）の諧調情報を基に、第２領域Ｂ１，Ｂ２，・・・Ｂｎの各区画（例えば、区画Ｂ１−１，Ｂ１−２，・・・Ｂ１−８）に対する記録強度を決定する。
【００６４】
図１２は、レーザ強度と、想定される諧調（理論諧調）および実際に描画されると想定される諧調（実諧調）との関係を表したものであり、第１領域Ａ１，Ａ２，・・・Ａｎの描画像の結果から得られた設定値と、実際の描画状況とのずれを表している。例えば、諧調６５を得るために、レーザ強度Ｐ１で描画したところ、実際に描画された諧調は２５であった。このことから、描画装置１におけるレーザ強度と諧調との関係は、実際には、点線に相当すると推測される。よって、感熱性記録媒体１００の区画Ｘ−１においてマゼンタの諧調６５を得るためには、第２領域Ｂの区画Ｘ−１（区画Ｂ１−１）のマゼンタの諧調は１０５とする必要があり、マゼンタの諧調１０５を描画するのに必要なレーザ強度は、図１２からＰ２であることがわかる。以上を各区画Ｘ−１，Ｘ−２，・・・Ｘ−８毎に計算し、第２領域Ｂ１，Ｂ２，・・・Ｂｎの各区画（例えば、区画Ｂ１−１，Ｂ１−２，・・・Ｂ１−８）への描画に最適なレーザ強度を決定する。補正部８０からは、この第２領域Ｂ１，Ｂ２，・・・Ｂｎの各区画（例えば、区画Ｂ１−１，Ｂ１−２，・・・Ｂ１−８）への描画に最適なレーザ強度が描画信号Ｄ２ｉｎとして信号処理回路１０に出力される。
【００６５】
以上を経て、信号処理回路１０では、補正部８０から入力された描画信号Ｄ２ｉｎに基づいて適宜合波した合波光Ｌｍ２を、各区画Ｘ−１，Ｘ−２，・・・Ｘ−８）の下段の第２領域Ｂ（Ｂ１，Ｂ２，・・・Ｂｎ）に照射する。
【００６６】
以上により、感熱性記録媒体１００には、図２に示したように、少なくとも一部には、互いに異なる諧調の第１領域Ａと第２領域Ｂとが交互に隣接する縞状の領域が形成される。具体的には、一の方向と直交する他の方向の直線上における隣り合う第１領域Ａ（例えば、図２の第１領域Ａ１のａ１）と第２領域Ｂ（例えば、図２の第２領域Ｂ１のｂ１）との色差（Δａ１−ｂ１）が、他の方向の直線上における隣り合う第１領域（例えば、図２の第１領域Ａ１のａ１と第１領域Ａ２のａ２）の色差（Δａ１−ａ２）よりも大きい描画像が形成される。また、第１領域Ａ１のａ１と第２領域Ｂ１のｂ１との色差（Δａ１−ｂ１）は、例えば、第１領域Ａ１のａ１と、同じ第１領域Ａ１内のａ１から第１領域Ａ１の幅分一の方向（Ｘ軸方向）に離れたａ３との色差（Δａ１−ａ３）よりも大きい描画像が形成される。
【００６７】
なお、この第１領域Ａと第２領域Ｂの幅をヒトの目の解像度以下（例えば、５００μｍ以下）とすることで、感熱性記録媒体１００には、入力画像Ｄ１と同等の描画像が形成される。なお、第１領域Ａおよび第２領域Ｂの幅の下限は特にないが、例えば描画可能な幅として１０μｍとする。
【００６８】
（１−４．作用・効果）
前述したように、感熱発色性組成物および赤外線波長を吸収する光熱変換剤を含有する記録層を備えた感熱性記録媒体の開発が進められている。一例として、それぞれが、互いに異なる波長の赤外線を吸収する光熱変換剤を含む記録層を複数備え、各光熱変換剤の吸収波長に合致した赤外線レーザ光を照射することで、対応する光熱変換剤がそのレーザ光を吸収し、それを含む記録層が発色する感熱性記録媒体が提案されている。このような感熱性記録媒体では、レーザ強度を変えることで描画幅を調整し、所望の諧調を表現している。
【００６９】
但し、上記のような感熱性記録媒体に記録を行う場合、上述したように、記録装置の変動や感熱性記録媒体の設計からのずれ等により、想定していた画像から色合いがずれてしまうという課題がある。特に、感熱発色性組成物としてロイコ色素を用い、さらに、顕・減色剤および光熱変換剤と組み合わせることで熱により可逆的に情報の記録や消去が可能な可逆性記録媒体では、光熱変換剤等の材料の劣化によって、書き換えごとに感度が変化する。
【００７０】
これに対して、本実施の形態の描画方法では、感熱性記録媒体１００に対して、まず、入力画像Ｄ１に基づいて、それぞれが一の方向に延伸すると共に、互いに間隙を有する第１領域Ａ１，Ａ２，・・・Ａｎに描画したのち、第１領域Ａ１，Ａ２，・・・Ａｎの記録状態を検出して入力画像との差分を計算し、差分から決定される記録強度で、各第１領域Ａ１，Ａ２，・・・Ａｎの間の、それぞれが一の方向に延伸する第２領域Ｂ１，Ｂ２，・・・Ｂｎに描画するようにした。これにより、記録装置の変動や媒体の設計からのずれ等による、入力画像から色合いのずれを低減することが可能となる。
【００７１】
上記描画方法によって描画された感熱性記録媒体１００の記録層１１２には、上記のように、一の方向と直交する他の方向の直線上における隣り合う第１領域Ａ（例えば、図２の第１領域Ａ１のａ１）と第２領域Ｂ（例えば、図２の第２領域Ｂ１のｂ１）との色差（Δａ１−ｂ１）が、他の方向の直線上における隣り合う第１領域（例えば、図２の第１領域Ａ１のａ１と第１領域Ａ２のａ２）の色差（Δａ１−ａ２）よりも大きい描画像が形成される。
【００７２】
以上により、本実施の形態では、まず、感熱性記録媒体１００の一部の領域（例えば、それぞれが一の方向に延伸すると共に、互いに間隙を有する第１領域Ａ１，Ａ２，・・・Ａｎ）に、入力画像Ｄ１の描画信号Ｄ１ｉｎに基づいた描画を行ったのち、その描画像と入力画像との差分を算出し、差分から決定される記録強度で、残りの領域（例えば、各第１領域Ａ１，Ａ２，・・・Ａｎの間の、それぞれが一の方向に延伸する第２領域Ｂ１，Ｂ２，・・・Ｂｎ）を描画するようにしたので、入力画像から色合いのずれが低減され、表示品位を向上させることが可能となる。
【００７３】
また、本実施の形態では、前述したような、実際の描画前に諧調補正用画像を出力（所謂、試し刷り）が不要となる。更に、上記のような試し刷りによって諧調補正を行う描画方法では、可逆性記録媒体のような、書き込みおよび消去の繰り返しによって感度が変化する印刷メディアに対応できないが、本実施の形態の描画方法は、レーザ描画される記録媒体全てに適用することができる。
【００７４】
次に、本開示の第２の実施の形態について説明する。以下では、上記第１の実施の形態と同様の構成要素については同一の符号を付し、適宜その説明を省略する。
【００７５】
＜２．第２の実施の形態＞
図１３は、本開示の第２の実施の形態に係る感熱性記録媒体（感熱性記録媒体１００）への描画方法の流れを表したものである。図１４Ａ〜図１４Ｃは、図１３に示した描画方法を用いた感熱性記録媒体１００への描画工程の一例を表したものである。図１５Ａ〜図１５Ｃは、図１３に示した描画方法を用いた感熱性記録媒体１００への描画工程の他の例を表したものである。本実施の形態の描画方法は、差分の計算および補正を複数回（本実施の形態では２回）行う点が上記第１の実施の形態とは異なる。
【００７６】
以下に、本実施の形態における感熱性記録媒体１００への描画方法について図１、図１４Ａ〜図１４Ｃおよび図１５Ａ〜図１５Ｃを用いて説明する。
【００７７】
まず、感熱性記録媒体１００を用意し、描画装置１にセットする。次に、信号処理回路１０は、入力画像（例えば、図５に示した入力画像Ｄ１）の信号（描画信号Ｄ１ｉｎ）に基づいて、駆動する光源を選択する。信号処理回路１０は、描画信号Ｄ１ｉｎに基づいて選択した光源を駆動するための投影映像信号を生成する。信号処理回路１０は、生成した投影画像信号をレーザ駆動回路２０に出力して光源部３０を制御する。これにより、例えば発光波長７６０ｎｍのレーザ光Ｌａ、８６０ｎｍのレーザ光Ｌｂおよび９１５ｎｍのレーザ光Ｌｃを適宜合波することにより得られた合波光Ｌｍ１が、描画装置１のセットから感熱性記録媒体１００の一部の領域（第１領域Ａ１，Ａ２，・・・Ａｎ）に照射される。その結果、第１領域Ａ１，Ａ２，・・・Ａｎに、マゼンタ色、シアン色および黄色の混色によって、図１４Ａおよび図１５Ａに示した諧調の描画がなされる（ステップＳ２０１）。
【００７８】
次に、検出部７０において第１領域Ａ１，Ａ２，・・・Ａｎの描画像を検出する（ステップＳ２０２）。これによって得られた第１領域Ａ１，Ａ２，・・・Ａｎの描画像の画像情報は補正部８０へ出力される。
【００７９】
続いて、補正部８０において、第１領域Ａ１，Ａ２，・・・Ａｎの描画像の画像情報と、入力画像の画像情報とを比較して描画像と入力画像Ｄ１との差分を算出する（ステップＳ２０３）。補正部８０では、その差分に基づいて、ステップＳ２０１において描画しなかった残りの領域（第２領域Ｂ１，Ｂ２，・・・Ｂｎ）への記録強度を決定する。決定された記録強度は、描画信号Ｄ２ｉｎとして信号処理回路１０へ出力される。
【００８０】
信号処理回路１０は、補正部８０から入力された描画信号Ｄ２ｉｎに基づいて、駆動する光源を選択する。信号処理回路１０は、描画信号Ｄ２ｉｎに基づいて選択した光源を駆動するための投影映像信号を生成する。信号処理回路１０は、生成した投影画像信号をレーザ駆動回路２０に出力して光源部３０を制御する。これにより、例えば発光波長７６０ｎｍのレーザ光Ｌａ、８６０ｎｍのレーザ光Ｌｂおよび９１５ｎｍのレーザ光Ｌｃを適宜合波することにより得られた合波光Ｌｍ２が、描画装置１のセットから感熱性記録媒体１００の第２領域Ｂ１，Ｂ２，・・・Ｂｎに出射される。その結果、第１領域Ａ１，Ａ２，・・・Ａｎにそれぞれ隣接する第２領域Ｂ１，Ｂ２，・・・Ｂｎには、図１４Ｂおよび図１５Ｂに示したような諧調を有する描画がなされる（ステップＳ２０４）。
【００８１】
次に、検出部７０において第１領域Ａ１，Ａ２，・・・Ａｎおよび第２領域Ｂ１，Ｂ２，・・・Ｂｎの描画像を検出する（ステップＳ２０５）。これによって得られた第１領域Ａ１，Ａ２，・・・Ａｎおよび第２領域Ｂ１，Ｂ２，・・・Ｂｎの描画像の画像情報は補正部８０へ出力される。
【００８２】
続いて、補正部８０において、第１領域Ａ１，Ａ２，・・・Ａｎおよび第２領域Ｂ１，Ｂ２，・・・Ｂｎの描画像の画像情報と、入力画像の画像情報とを比較して描画像と入力画像Ｄ１との差分を算出する（ステップＳ２０６）。補正部８０では、その差分に基づいて、ステップＳ２０１およびステップＳ２０４において描画しなかった残りの領域（第３領域Ｃ１，Ｃ２，・・・Ｃｎ）への記録強度を決定する。決定された記録強度は、描画信号Ｄ３ｉｎとして信号処理回路１０へ出力される。
【００８３】
信号処理回路１０は、補正部８０から入力された描画信号Ｄ３ｉｎに基づいて、駆動する光源を選択する。信号処理回路１０は、描画信号Ｄ３ｉｎに基づいて選択した光源を駆動するための投影映像信号を生成する。信号処理回路１０は、生成した投影画像信号をレーザ駆動回路２０に出力して光源部３０を制御する。これにより、例えば発光波長７６０ｎｍのレーザ光Ｌａ、８６０ｎｍのレーザ光Ｌｂおよび９１５ｎｍのレーザ光Ｌｃを適宜合波することにより得られた合波光Ｌｍ３が、描画装置１のセットから感熱性記録媒体１００の第３領域Ｃ１，Ｃ２，・・・Ｃｎに出射される。その結果、第１領域Ａ１，Ａ２，・・・Ａｎおよび第２領域Ｂ１，Ｂ２，・・・Ｂｎに隣接する第３領域Ｃ１，Ｃ２，・・・Ｃｎには、所定の諧調を有する描画がなされる（ステップＳ２０７）。このとき、図１４Ｂに示したように、第２領域Ｂ１，Ｂ２，・・・Ｂｎへの描画で補正が完了している場合には、第３領域Ｃ１，Ｃ２，・・・Ｃｎには、入力画像Ｄ１の諧調６５で描画がなされる。図１５Ｃに示したように、第２領域Ｂ１，Ｂ２，・・・Ｂｎへの描画で補正が不十分であった場合には、これを補正する諧調を有する描画がなされる。
【００８４】
このように、描画像と入力画像との差分の計算およびその補正は、２回以上行うようにしてよい。これにより、理論諧調と実諧調に著しい差があった場合において、より諧調補正の精度を向上させることが可能となるという効果を奏する。
【００８５】
＜３．適用例＞
次に、上記第１および第２の実施の形態おいて説明した感熱性記録媒体１００の適用例について説明する。ただし、以下で説明する電子機器の構成はあくまで一例であり、その構成は適宜変更可能である。上記感熱性記録媒体１００は、各種の電子機器あるいは服飾品の一部に適用可能である。例えば、いわゆるウェアラブル端末として、例えば時計（腕時計）、鞄、衣服、帽子、ヘルメット、ヘッドフォン、眼鏡および靴等の服飾品の一部に適用可能である。この他、例えば、ヘッドアップディスプレイおよびヘッドマウントディスプレイ等のウェアラブルディスプレイや、ポータブル音楽プレイヤーおよび携帯型ゲーム機等の持ち運び可能なポータブルデバイス、ロボット、あるいは、冷蔵庫および洗濯機等、電子機器の種類は特に限定されない。また、電子機器や服飾品に限らず、例えば、加飾部材として、自動車の内装や外装、建造物の壁等の内装や外装、机等の家具の外装等にも適用することができる。
【００８６】
（適用例１）
図１６Ａおよび図１６Ｂは、リライト機能付きIntegrated Circuit（ＩＣ）カードの外観を表したものである。このＩＣカードでは、カードの表面が印字面２１０となっており、例えば、シート状の感熱性記録媒体１００等が貼付されて構成されている。ＩＣカードは、印字面２１０に感熱性記録媒体１００等を配置することで、図１６Ａおよび図１６Ｂに示したように、適宜、印字面に描画およびその書き換え並びに消去が可能となる。
【００８７】
（適用例２）
図１７Ａはスマートフォンの前面の外観構成を、図１７Ｂは、図１７Ａに示したスマートフォンの背面の外観構成を表したものである。このスマートフォンは、例えば、表示部３１０および非表示部３２０と、筐体３３０とを備えている。背面側の筐体３３０の例えば一面には、筐体３３０の外装部材として、例えば感熱性記録媒体１００等が設けられており、これにより、図１７Ｂに示したように、様々な色柄を表示することができる。なお、ここでは、スマートフォンを例に挙げたが、これに限らず、例えば、ノート型パーソナルコンピュータ（ＰＣ）やタブレットＰＣ等にも適用することができる。
【００８８】
（適用例３）
図１８Ａおよび図１８Ｂは、鞄の外観を表したものである。この鞄は、例えば収納部４１０と持ち手４２０とを有しており、例えば、収納部４１０に、例えば感熱性記録媒体１００が取り付けられている。収納部４１０には、例えば感熱性記録媒体１００により、様々な文字や図柄が表示される。また、持ち手４２０部分に感熱性記録媒体１００等が取り付けることで、様々な色柄を表示することができ、図１８Ａの例から図１８Ｂの例のように、収納部４１０の意匠を変更することができる。ファッション用途においても有用な電子デバイスを実現可能となる。
【００８９】
（適用例４）
図１９は、例えばアミューズメントパークにおいて、例えばアトラクションの搭乗履歴やスケジュール情報等を記録可能なリストバンドの一構成例を表したものである。このリストバンドは、ベルト部５１１，５１２と、情報記録層５２０とを有している。ベルト部５１１，５１２は、例えば帯形状を有し、端部（図示せず）が互いに接続可能に構成されている。情報記録層５２０には、例えば感熱性記録媒体１００等が貼付されており、上記アトラクションの搭乗履歴ＭＨ２やスケジュール情報ＩＳ（ＩＳ１〜ＩＳ３）のほか、例えば情報コードＣＤが記録されている。アミューズメントパークでは、入場者が、アトラクション搭乗予約スポット等の各所に設置された描画装置にリストバンドをかざすことによって上記情報を記録することができる。
【００９０】
搭乗履歴マークＭＨ１は、アミューズメントパークにおいて、リストバンドを装着した入場者が搭乗したアトラクションの数を示すものである。この例では、アトラクションに搭乗するほど、多くの星形マークが搭乗履歴マークＭＨ１として記録されるようになっている。なお、これに限定されるものではなく、例えば、入場者が搭乗したアトラクションの数によって、マークの色が変化するようにしてもよい。
【００９１】
スケジュール情報ＩＳは、この例では、入場者のスケジュールを示すものである。この例では、入場者が予約したイベントや、アミューズメントパークにおいて催されるイベントを含む全てのイベントの情報がスケジュール情報ＩＳ１〜ＩＳ３として記録される。具体的には、この例では、入場者が搭乗予約を行ったアトラクション名（アトラクション２０１）と、その搭乗予定時刻が、スケジュール情報ＩＳ１として記録されている。また、パレード等のパーク内のイベントと、その開始予定時刻が、スケジュール情報ＩＳ２として記録されている。また、入場者があらかじめ予約したレストランと、その食事予定時刻がスケジュール情報ＩＳ３として記録されている。
【００９２】
情報コードＣＤには、例えば、リストバンドを識別するための識別情報ＩＩＤや、ウェブサイト情報ＩＷＳが記録されている。
【００９３】
（適用例５）
図２０Ａは自動車の上面の外観を、図２０Ｂは自動車の側面の外観を表したものである。本開示の感熱性記録媒体１００等は、上記のように、例えば、ボンネット６１１、バンパー６１２、ルーフ６１３、トランクカバー６１４、フロントドア６１５、リアドア６１６およびリアバンパー６１７等の車体に設けることで各部に様々な情報や色柄を表示することができる。また、感熱性記録媒体１００等は、自動車の内装、例えば、ハンドルやダッシュボード等に設けることで様々な色柄を表示することができる。
【００９４】
以上、第１および第２の実施の形態を挙げて本開示を説明したが、本開示は上記実施形態等で説明した態様に限定されず、種々の変形が可能である。例えば、上記実施の形態等において説明した全ての構成要素を備える必要はなく、さらに他の構成要素を含んでいてもよい。また、上述した構成要素の材料や厚さは一例であり、記載したものに限定されるものではない。
【００９５】
また、上記第１の実施の形態では、支持基体１１１上に直接記録層１１２（図３では記録層１１２Ｍ）を設けた例を示したが、例えば、支持基体１１１と記録層１１２Ｍとの間に、例えば中間層１１３と同様の構成を有する層を追加するようにしてもよい。
【００９６】
更に、上記第１の実施の形態では、感熱性記録媒体１００として、互いに異なる色を呈する３種の記録層１１２（１１２Ｍ，１１２Ｃ，１１２Ｙ）が中間層１１３，１１４を間に積層された例を示したが、これに限らない。例えば、それぞれマイクロカプセルに封入された、互いに異なる色を呈する、例えば３種類の呈色性化合物が混合された、単層構造での多色表示が可能な可逆性記録媒体を用いてもよい。更にまた、マイクロカプセルに限らず、例えば、繊維状の３次元立体構造物で構成した記録層を有する可逆性記録媒体を用いてもよい。ここで用いる繊維は、例えば、所望の色を呈する呈色性化合物、これに対応する顕・減色剤および光熱変換剤を含有する芯部と、この芯部を被覆すると共に、断熱材料によって構成される鞘部とから構成される所謂芯鞘構造を有することが好ましい。芯鞘構造を有し、それぞれ異なる色を呈する呈色性化合物を含む複数種類の繊維を用いて３次元立体構造物を形成することで、多色表示が可能な可逆性記録媒体を作製することができる。
【００９７】
また、上記実施の形態等では、感熱性記録媒体として可逆的に情報の記録や消去が可能な感熱性記録媒体１００を例に示したが、本技術は、可逆的に情報の記録や消去が可能な記録媒体に限定されず、非接触でレーザ描画される記録媒体全てに適用することができる。
【００９８】
なお、本開示は以下のような構成も取ることができる。以下の構成の本技術によれば、ロイコ色素および赤外領域の波長を吸収して発熱する光熱変換剤を含む記録層を備えた感熱性記録媒体に対して、入力画像に基づいて一の方向に延伸すると共に、互いに間隙を有する複数の第１領域に描画したのち、複数の第１領域の記録状態を検出して入力画像との差分を計算し、差分から決定される記録強度で、複数の第１領域のそれぞれの間隙の、一の方向に延伸する第２領域に描画する。よって、記録装置の変動や媒体の設計からのずれ等による、入力画像から色合いのずれが低減され、表示品位を向上させることが可能となる。これにより、感熱性記録媒体には、一の方向と直交する他の方向の直線上における隣り合う第１領域と第２領域との第１の色差が、他の方向の直線上における隣り合う第１領域の第２の色差よりも大きい画像が描画される。なお、ここに記載された効果は必ずしも限定されるものではなく、本開示中に記載されたいずれの効果であってもよい。
（１）
ロイコ色素および赤外領域の波長を吸収して発熱する光熱変換剤を含む記録層を備えた感熱性記録媒体に対して、
入力画像情報に基づいて、それぞれが一の方向に延伸すると共に、互いに間隙を有する複数の第１領域に描画したのち、
前記複数の第１領域の記録状態を検出して前記入力画像情報との差分を計算し、前記差分から決定される記録強度で、前記複数の第１領域のそれぞれの間隙の、それぞれが前記一の方向に延伸する複数の第２領域に描画する
描画方法。
（２）
光ビームを用いて前記複数の第１領域および前記複数の第２領域に描画する、前記（１）に記載の描画方法。
（３）
前記光ビームの出力によって前記記録強度を調整する、前記（２）に記載の描画方法。
（４）
前記複数の第２領域に描画したのち、
前記複数の第１領域および前記複数の第２領域の記録状態を検出して前記入力画像情報との差分を計算し、前記差分から決定される記録強度によって、前記複数の第１領域と前記複数の第２領域とのそれぞれの間の、それぞれが前記一の方向に延伸する複数の第３領域に描画する、前記（１）乃至（３）のうちのいずれかに記載の描画方法。
（５）
ロイコ色素および赤外領域の波長を吸収して発熱する光熱変換剤を含む記録層を備え、
前記記録層は、
それぞれが一の方向に延伸すると共に、互いに間隙を有する複数の第１領域と、
それぞれが前記一の方向に延伸すると共に、前記複数の第１領域のそれぞれの間隙に設けられた複数の第２領域とを有し、
前記一の方向と直交する他の方向の直線上における隣り合う前記第１領域と前記第２領域との第１の色差が、前記他の方向の直線上における隣り合う前記複数の第１領域の第２の色差よりも大きい
感熱性記録媒体。
（６）
前記複数の第１領域および前記複数の第２領域の前記他の方向の幅は、それぞれ、１０μｍ以上５００μｍ以下である、前記（５）に記載の感熱性記録媒体。
（７）
前記第１の色差は、前記第１領域の前記一の方向の直線上において、前記複数の第１領域の前記他の方向の幅分離れた２点間の第３の色差よりも大きい、前記（５）または（６）に記載の感熱性記録媒体。
（８）
前記複数の第１領域と前記複数の第２領域とのそれぞれの間に、それぞれが前記一の方向に延伸すると共に、前記一の方向と直交する前記他の方向の直線上において、前記第１の色差および前記第２の色差とは異なる第４の色差を有する第３領域をさらに有する、前記（５）乃至（７）のうちのいずれかに記載の感熱性記録媒体。
（９）
前記記録層は、さらに、顕・減色剤を含み、前記ロイコ色素、前記顕・減色剤および前記光熱変換剤は高分子材料に分散されている、前記（５）乃至（８）のうちのいずれかに記載の感熱性記録媒体。
（１０）
光ビームを出射する光源部と、
前記光源部から出射された前記光ビームをロイコ色素および赤外領域の波長を吸収して発熱する光熱変換剤を含む記録層において、それぞれが一の方向に延伸すると共に、互いに間隙を有する複数の第１領域と、前記複数の第１領域のそれぞれの間隙の、それぞれが前記一の方向に延伸する複数の第２領域とで走査することにより描画するスキャナ部と、
前記記録層の記録状態を検出する検出部と、
前記検出部の結果に基づいて記録強度を決定する補正部とを備え、
前記スキャナ部は、入力画像情報に基づいて、前記複数の第１領域で走査し、
前記検出部は、前記スキャナ部によって描画された前記複数の第１領域の記録状態を検出すると共に、前記複数の第１領域の記録状態を前記複数の第１領域の画像情報として前記補正部に出力し、
前記補正部は、前記検出部から入力された前記複数の第１領域の画像情報と前記入力画像情報との差分を算出し、前記差分に基づいて、前記複数の第２領域に描画する記録強度を決定し、
前記スキャナ部は、前記補正部で決定された記録強度を用いて前記複数の第２領域で走査する
描画装置。
【００９９】
本出願は、日本国特許庁において２０１８年９月１１日に出願された日本特許出願番号２０１８−１７００７６号を基礎として優先権を主張するものであり、この出願の全ての内容を参照によって本出願に援用する。
【０１００】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2020054279.tif 000005
【図２】
2020054279.tif 000006
【図３】
2020054279.tif 000007
【図４】
2020054279.tif 000008
【図５】
2020054279.tif 000009
【図６Ａ】
2020054279.tif 000010
【図６Ｂ】
2020054279.tif 000011
【図７】
2020054279.tif 000012
【図８】
2020054279.tif 000013
【図９】
2020054279.tif 000014
【図１０】
2020054279.tif 000015
【図１１】
2020054279.tif 000016
【図１２】
2020054279.tif 000017
【図１３】
2020054279.tif 000018
【図１４Ａ】
2020054279.tif 000019
【図１４Ｂ】
2020054279.tif 000020
【図１４Ｃ】
2020054279.tif 000021
【図１５Ａ】
2020054279.tif 000022
【図１５Ｂ】
2020054279.tif 000023
【図１５Ｃ】
2020054279.tif 000024
【図１６Ａ】
2020054279.tif 000025
【図１６Ｂ】
2020054279.tif 000026
【図１７Ａ】
2020054279.tif 000027
【図１７Ｂ】
2020054279.tif 000028
【図１８Ａ】
2020054279.tif 000029
【図１８Ｂ】
2020054279.tif 000030
【図１９】
2020054279.tif 000031
【図２０Ａ】
2020054279.tif 000032
【図２０Ｂ】
2020054279.tif 000033
【国際調査報告】
2020054279.tif 000034
2020054279.tif 000035
2020054279.tif 000036
2020054279.tif 000037